(57)【要約】【課題】少なくとも二つのアンテナを有しながら、一つのアンテナを触ってもその他のアンテナ特性の劣化しないアンテナ装置を実現すること【解決手段】第一金属パーツ（１０）では、第一給電部（１２）への接続位置から接続位置から一方の端部までの間において、第一周波数帯を通過させる第一フィルタ（３０）を介して第二金属パーツ（２０）に接続されているアンテナ装置（１、２、２ａ〜２ｃ）【選択図】図１
2019016838.tif 000002
【特許請求の範囲】
【請求項１】
第一給電部と、
グランドと、
第一金属パーツおよび第二金属パーツを含む複数の金属パーツによって構成され、外部に露出した金属枠と、を備え、
上記第一金属パーツは、
第一接続位置において、上記第一給電部に接続し、
第一端部および第二端部を備え、
上記第一接続位置から上記第一端部までが第一周波数帯で共振し、
上記第一接続位置から上記第二端部までの範囲において、第一フィルタを介して上記第二金属パーツに接続し、
上記第二金属パーツは、上記グランドに接続し、
上記第一フィルタは、上記第一周波数帯を通過させることを特徴とするアンテナ装置。
【請求項２】
上記金属枠は、上記アンテナ装置の筐体の一部を構成することを特徴とする請求項１に記載のアンテナ装置。
【請求項３】
第二給電部をさらに備え、
上記第二金属パーツは、上記第二給電部に接続し、第二周波数帯で共振し、
上記第一フィルタは、上記第二周波数帯を通過させないことを特徴とする請求項１または２に記載のアンテナ装置。
【請求項４】
上記グランドの縁部を通る経路であって、上記第一給電部に対応する位置から上記第二金属パーツへの接続位置までの経路の電気長が、上記第一周波数帯に対応する波長λの１／４以下であることを特徴とする請求項１から３のいずれか１項に記載のアンテナ装置。
【請求項５】
上記第一金属パーツおよび上記第二金属パーツは、それぞれ、上記金属枠の互いに隣接した辺に配置されていることを特徴とする請求項１から４のいずれか１項に記載のアンテナ装置。
【請求項６】
上記第一金属パーツは、上記第一接続位置から上記第二端部までが第三周波数帯で共振し、
上記第一フィルタは、上記第三周波数帯を通過させないことを特徴とする請求項１から５のいずれか１項に記載のアンテナ装置。
【請求項７】
第三給電部をさらに備え、
上記複数の金属パーツは、第三金属パーツをさらに含み、
上記第三金属パーツは、上記第三給電部および上記グランドに接続し、第四周波数帯で共振し、
上記第一金属パーツは、上記第一接続位置から上記第一端部までの範囲において、第二フィルタを介して上記第三金属パーツに接続され、
上記第二フィルタは、上記第三周波数帯を通過させ、上記第一周波数帯および上記第四周波数帯を透過させないことを特徴とする請求項１から６のいずれか１項に記載のアンテナ装置。
【請求項８】
回路基板をさらに備え、
上記回路基板には、
上記第一給電部と、
上記第一フィルタと、
上記回路基板上の第一位置と第二位置とを上記第一フィルタを介して接続する導電経路と、が設けられており、
上記回路基板の上記第一給電部が、上記第一金属パーツの上記第一接続位置にネジ止めされることにより、上記第一給電部と上記第一接続位置とが接続され、
上記回路基板の上記第一位置が、上記第一金属パーツの上記第一接続位置から上記第二端部までの範囲にネジ止めされることにより、上記第一位置と当該範囲とが接続され、
上記回路基板の上記第二位置が、上記第二金属パーツにネジ止めされることにより、上記第二位置と上記第二金属パーツとが接続されていることを特徴とする請求項１から７のいずれか１項に記載のアンテナ装置。
【発明の詳細な説明】
【技術分野】
【０００１】
本発明は、アンテナ装置に関するものであり、詳細には、複数の金属パーツによって構成された金属枠を備えるアンテナ装置に関するものである。
【背景技術】
【０００２】
特許文献１には、携帯無線機に複数のアンテナを内蔵する際に、アンテナ同士の干渉が少なくなるように配置する方法が開示されている。
【先行技術文献】
【特許文献】
【０００３】
【特許文献１】特開２００８−１１０１６号公報（２００８年１月１７日公開）
【発明の概要】
【発明が解決しようとする課題】
【０００４】
本発明者らは、独自の発想に基づき、筐体を構成する金属枠を複数の金属パーツによって構成し、各金属パーツをアンテナの一部として使用する（例えば、金属枠の異なる１辺を１つのアンテナエレメントとして動作させる）技術について検討している。このとき、例えば、金属パーツを逆Ｆアンテナとして用いるために、金属パーツをグランドに接続する場合がある。また、本発明者らの独自の知見によれば、金属パーツを特定の態様でグランドに接続することにより、金属パーツをアンテナエレメントとして用いるときの周波数を調整したり、金属パーツを複数のアンテナエレメントに分離して用いることができる。
【０００５】
ここで、本発明者らの独自の知見によれば、金属パーツがグランドに接続されている場合、グランドに接続された金属パーツに手が触れたときに、他の金属パーツのアンテナ性能が劣化する場合がある。例えば、金属パーツであるアンテナエレメントＡおよび金属パーツであるアンテナエレメントＢが存在し、アンテナエレメントＢがグランドに接続されている場合に、アンテナエレメントＢを手で触ると、アンテナエレメントＡのグランド電流が、アンテナエレメントＢを介して人体に吸収され、アンテナエレメントＡのアンテナ性能が劣化してしまう場合がある。
【０００６】
本発明の一態様は、上記課題に鑑みてなされたものであり、複数の金属パーツによって構成された金属枠を備えるアンテナ装置において、グランドに接続された金属パーツに手が触れたときの、他の金属パーツのアンテナ性能の劣化を抑制するための技術を提供することを主たる目的とする。
【課題を解決するための手段】
【０００７】
上記の課題を解決するために、本発明の一態様に係るアンテナ装置は、第一給電部と、グランドと、第一金属パーツおよび第二金属パーツを含む複数の金属パーツによって構成され、外部に露出した金属枠と、を備え、上記第一金属パーツは、第一接続位置において、上記第一給電部に接続し、第一端部および第二端部を備え、上記第一接続位置から上記第一端部までが第一周波数帯で共振し、上記第一接続位置から上記第二端部までの範囲において、第一フィルタを介して上記第二金属パーツに接続され、上記第二金属パーツは、上記グランドに接続され、上記第一フィルタは、上記第一周波数帯を通過させる。
【発明の効果】
【０００８】
本発明の一態様によれば、複数の金属パーツによって構成された金属枠を備えるアンテナ装置において、グランドに接続された金属パーツに手が触れたときの、他の金属パーツのアンテナ性能の劣化を抑制することができる。
【図面の簡単な説明】
【０００９】
【図１】本発明の実施形態１に係るアンテナ装置の概略図である。
【図２】本発明の実施形態２に係るアンテナ装置の概略図である。
【図３】本発明の実施形態３に係るアンテナ装置の概略図である。
【図４】本発明の実施形態４に係るアンテナ装置の概略図である。
【図５】本発明の実施形態５に係るアンテナ装置の概略図である。
【図６】本発明の一実施形態に係る金属筐体に流れる電流分布のシミュレーション結果を示す図である。
【図７】本発明の一実施形態に係る金属筐体の構成の概略を示す斜視図である。
【発明を実施するための形態】
【００１０】
以下、図面に基づいて本発明の実施の形態を詳細に説明する。ただし、本実施形態に記載されている構成は、特に特定的な記載がない限り、この発明の範囲をそれのみに限定する趣旨ではなく、単なる説明例に過ぎない。また説明の便宜上、各実施形態に示した部材と同一の機能を有する部材については、同一の符号を付し、適宜その説明を省略する。
【００１１】
本明細書では、アンテナ装置として、ユーザが手に持って操作することができ、かつ無線信号による通信機能を有した装置であり、携帯電話機、スマートフォン、またはタブレット型端末を例に挙げているが、本発明に係るアンテナ装置はこれらに限定されない。例えば、据え置き型の無線ＬＡＮ親機などであってもよい。
【００１２】
〔実施形態１〕
図１の（ａ）は、本願発明の実施形態１に係るアンテナ装置２の構成を示す概略図である。図１の（ａ）に示すように、アンテナ装置２は、第一金属パーツ１０、第二金属パーツ２０、第一給電部１２、第二給電部２２、第一フィルタ３０、グランド４０および無線回路基板５０を備えている。グランド４０は、無線回路基板５０のグランドであり、例えば、金属板等であり得る。
【００１３】
本実施形態においては、第一金属パーツ１０および第二金属パーツ２０はそれぞれ、図示しない金属枠を構成する金属パーツであり、当該金属枠の隣接する辺に配置されている。図１の（ａ）に示すように、第一金属パーツ１０および第二金属パーツ２０は、グランド４０の一隅に近接して配置されており、互いに近接している。第一金属パーツ１０および第二金属パーツ２０以外の金属枠の構成は特に限定されない。また、各金属パーツの形状は特に限定されないが、二つの端部を有する板状または棒状の構成であってもよく、一部が曲がっていてもよい。
【００１４】
（第一金属パーツ１０）
第一金属パーツ１０は、第一端部１０Ａおよび第二端部１０Ｂを有しており、第一接続位置１０Ｃにおいて第一給電部１２に接続し、第一給電部１２から給電されている。
【００１５】
第一金属パーツ１０は、２肢分岐の先端開放型のアンテナエレメントである。第一金属パーツ１０の第一接続位置１０Ｃから第一端部１０Ａまでは、第一周波数帯で共振するアンテナエレメントとして機能する。また、第一金属パーツ１０の第一接続位置１０Ｃから第二端部１０Ｂまでは、第一周波数帯とは異なる第三周波数帯で共振するアンテナエレメントとして機能する。無線回路基板５０は、第一給電部１２を介して、第一金属パーツ１０に対し第一周波数帯および第三周波数帯の高周波信号を給電する。これにより、アンテナ装置２は、第一金属パーツ１０を用いて第一周波数帯および第三周波数帯の電波を送受信可能となる。
【００１６】
なお、第一給電部１２は、第一金属パーツ１０に対し、少なくとも第一周波数帯の高周波信号を給電するものであればよく、一変形例において、第一給電部１２は、第一金属パーツ１０に対し、第三周波数帯の高周波信号を給電しない構成であってもよい。この場合、第一接続位置１０Ｃを第二端部１０Ｂの位置とし、第一金属パーツ１０を逆Ｌアンテナとして構成してもよい。
【００１７】
（第二金属パーツ２０）
第二金属パーツ２０は、第三端部２０Ａおよび第四端部２０Ｂを有しており、中央部において、グランド接続部２３を介してグランドに接続している。また、第二金属パーツ２０は、グランド接続部２３への接続位置よりも第三端部２０Ａ側の第二接続位置２０Ｃにおいて、第二給電部２２に接続し、第二給電部２２から給電されている。
【００１８】
第二金属パーツ２０は、逆Ｆアンテナ型のアンテナエレメントであり、第一周波数帯とは異なる第二周波数帯で共振するアンテナエレメントとして機能する。無線回路基板５０は、第二給電部２２を介して、第二金属パーツ２０に対し第二周波数帯の高周波信号を給電する。これにより、アンテナ装置２は、第二金属パーツ２０を用いて第二周波数帯の電波を送受信可能となる。
【００１９】
なお、図２に示すように、グランド接続部２３の幅を広くすることで、一変形例において、第二金属パーツ２０を二つのアンテナエレメントとして使用することも可能である。
【００２０】
また、一変形例において、第一金属パーツ１０、第二金属パーツ２０等の金属パーツは、特定の接続位置において、インダクタ、キャパシタ等を介してグランド４０に接続されていてもよい。当該接続位置、および、インダクタ、キャパシタ等のリアクタンス値を調整することにより、当該金属パーツにおける共振周波数を調整することができる。
【００２１】
（第一フィルタ３０）
第一金属パーツ１０の第一接続位置１０Ｃから第二端部１０Ｂまでの範囲の任意の位置と、第二金属パーツ２０の任意の位置とは、第一フィルタ３０を介して接続されている。例えば、一態様において、図１の（ａ）に示すように、第一金属パーツ１０の第二端部１０Ｂと、第二金属パーツ２０の第三端部２０Ａとが、第一フィルタ３０を介して接続されている。
【００２２】
第一フィルタ３０は、第一周波数帯を通過させ、第一金属パーツ１０および第二金属パーツ２０において使用される第一周波数帯以外の周波数帯（例えば、第二周波数帯、第三周波数帯）を通過させないフィルタであればよい。例えば、第一フィルタ３０は、第一周波数帯を選択的に通過させるフィルタであってもよいし、第二周波数帯および第三周波数帯の少なくとも一方を選択的に遮断するフィルタであってもよい。
【００２３】
一例として、第一周波数帯として、９００ＭＨｚ帯を、第二周波数帯として、２ＧＨｚ帯を、第三周波数帯としては、２ＧＨｚ帯を用いた場合、第一フィルタ３０としては、９００ＭＨｚを中心として上下１００ＭＨｚの幅を通過させ、他の周波数帯を遮断するものや、２ＧＨｚを中心として上下１００ＭＨｚの幅を遮断し、他の周波数帯を通過させるものを用いることができるが、これに限定されるものではない。
【００２４】
第一フィルタ３０としては、直列共振回路、並列共振回路、積層のバンドパスフィルタ、バンドエリミネーションフィルタ、ノッチフィルタなどが使用できる。第一フィルタ３０は、基板に実装して、給電基板を介して第一金属パーツ１０および第二金属パーツ２０と接続してもよく、フレキシブル基板などに実装して、第一金属パーツ１０および第二金属パーツ２０との接点を設けることで、第一金属パーツ１０および第二金属パーツ２０と接続してもよい。
【００２５】
上記の構成によれば、第一周波数帯においては、第二金属パーツ２０は、第一金属パーツ１０と電気的または高周波的につながっている。よって、第一周波数帯を送受信するとき、第一金属パーツ１０および第二金属パーツ２０は一体として逆Ｆアンテナとして動作する。このとき、第二金属パーツ２０は、第一周波数帯においてはグランド４０への短絡点付近となっている。よって、第二金属パーツ２０に第一周波数帯のグランド電流が流れることを防ぐことができるため、第二金属パーツ２０に手が触れても、第一周波数帯のグランド電流が人体に吸収されない。これにより、第一金属パーツ１０が第一周波数帯の電波を送受信する際に、アンテナ特性が劣化することを防ぐことができる。
【００２６】
図６は、第一フィルタ３０を介して第一金属パーツ１０と第二金属パーツ２０とが接続されていない場合に、グランド４０に流れる電流分布のシミュレーション結果を示す図である。なお、シミュレーションでは、第一金属パーツ１０は、短絡部１３において、キャパシタおよびインダクタを介してグランド４０に接続しているものとした。また、シミュレーションにおいては、９００ＭＨｚの電波を解析対象とし、第一金属パーツ１０が９００ＭＨｚの電波を送受信しているときの金属筐体内の電流分布を調べた。図６を見ればわかるように、グランド４０において、第二金属パーツ２０のグランド４０への接続位置付近に多くのグランド電流が流れている。本実施形態では、この電流分布に着目し、第一金属パーツ１０および第二金属パーツ２０の間に第一フィルタ３０を設けることにより、第一金属パーツが第一周波数の電波を受信しているときのアンテナ特性の劣化を防いだものである。
【００２７】
特に、図１の（ｂ）に示すように、グランド４０の縁部を通る経路４０ｃであって、第一給電部１２に対応する位置４０ａから第二金属パーツ２０への接続位置４０ｂまでの経路４０ｃの電気長（Ｌｘ＋Ｌｙ）が、第一周波数帯に対応する波長λの１／４以下である場合に、第二金属パーツ２０に流れ得るグランド電流が大きくなるため、第一フィルタ３０による効果が大きくなる。
【００２８】
すなわち、一般的に、送受信する電波の波長λ１の１／４で共振するアンテナエレメントを備えるアンテナでは、グランドにもグランド電流を流すことで高いアンテナ特性を得ている。特に、グランド上における給電点に最も近い位置からグランドの縁部を通ってλ１／４の電気長までは、グランド電流が強く流れている。
【００２９】
第二金属パーツ２０のグランド４０への接続位置２３が、グランド４０上における第一給電部１２に対応する位置からグランド４０の縁部を通ってλ１／４の電気長以内に存在する場合、第一フィルタ３０がない場合、第二金属パーツ２０に、第一金属パーツ１０が送受信する第一周波数帯の電波に対するグランド電流が強く流れる。このため、第二金属パーツ２０を手で触れることにより、第一金属パーツ１０が送受信する第一周波数帯の電波に対するグランド電流が人体に吸収されてしまい、第一金属パーツ１０をアンテナエレメントとして利用したときのアンテナ特性が劣化してしまう。これに対し、本実施形態では、第一フィルタ３０を備えることで、第一金属パーツ１０が送受信する第一周波数帯の電波に対するグランド電流が第二金属パーツ２０に流れることを防ぎ、アンテナ特性の劣化を防いでいる。
【００３０】
〔実施形態２〕
本発明の実施形態２について説明をすれば、以下の通りである。図２は、実施例２に係るアンテナ装置２ａの構成を示す概略図である。アンテナ装置２ａは、第一金属パーツ１０、第二金属パーツ２０、第三金属パーツ６０および第四金属パーツ７０を備えている点において、実施形態１のアンテナ装置２とは異なっている。
【００３１】
（金属枠）
図７は、本アンテナ装置２ａの筐体３の構成の概略を示す斜視図である。図７に示すように、筐体３は、金属枠４を備えており、これにより強度を向上させることができる。なお、金属枠４は、筐体３から分解可能なように構成されていなくてもよく、筐体３の一部と金属枠４とが一体成型されていてもよい。例えば、金属枠４と、筐体３の背面（図示していない）とが一体成型されているアンテナ装置も、本願の権利範囲である。筐体３は、全体が金属によって構成された金属筐体であってもよいし、金属枠４以外の部分が非金属で構成された複合材筐体であってもよいし、背面と金属枠４とが金属で構成された筐体であってもよい。
【００３２】
一態様において、第一金属パーツ１０、第二金属パーツ２０、第三金属パーツ６０および第四金属パーツ７０は、金属枠４が分割されたものであり、金属枠４の隣接した辺を形成している。また、他の一態様において、金属枠４は、筐体３に、第一金属パーツ１０、第二金属パーツ２０、第三金属パーツ６０および第四金属パーツ７０がそれぞれ埋め込まれることによって構成されていてもよい。なお、「筐体」とは、アンテナ装置が備える電子部品を格納する部材を指す。また、「外周」とは、アンテナ装置の外側に沿った周りの領域を指す。
【００３３】
第一金属パーツ１０、第二金属パーツ２０、第三金属パーツ６０および第四金属パーツ７０は筐体３の外周に存在し、外部に露出しているため、手に触れやすく、従来の技術では、近接した複数の金属パーツの一つに手が触れることで、使用中の他の金属パーツのアンテナの性能が劣化するという問題が発生していた。これに対し、本実施形態に係る発明では、金属パーツ同士を特定のフィルタを介して接続することで、当該問題を解決することができる。
【００３４】
（第四金属パーツ７０）
また、本実施形態では、第四金属パーツ７０についてもアンテナとして利用している。第四金属パーツ７０は、第七端部７０Ａおよび第八端部７０Ｂを有し、第四接続位置７０Ｃにおいて、第四給電部７２に接続している。第四給電部７２は、無線回路基板５０に接続している。無線回路基板５０は、第四給電部７２を介して、第四金属パーツ７０に対し第五周波数帯の高周波信号を給電する。これにより、アンテナ装置２ａは、第四金属パーツ７０を用いて第五周波数帯の電波を送受信可能となる。なお、無線回路基板５０は、図２に示すように、複数の基板に分割されていてもよいし、一枚の基板として構成されていてもよい。
【００３５】
〔実施形態３〕
次に、本願の実施形態３について、図３を用いて説明する。実施形態３のアンテナ装置２ｂは、実施形態１の構成に加えて、第二フィルタ３１、第三金属パーツ６０、第四金属パーツ７０、および第三給電部９０を備える。第三金属パーツ６０は、グランド４０に接続しており、接続位置６３から２股分岐した形状となっている。また第二金属パーツ２０は、実施形態２と同じくグランド４０への接続位置２３から２股分岐した形状となっている。第二フィルタ３１は、第三周波数帯を通過させ、その他の周波数帯は通過させない。
【００３６】
本実施形態において、第一金属パーツ１０と第三金属パーツ６０とは近接している。よって実施形態１で説明した通り、第二フィルタ３１がない場合、第三金属パーツ６０には、第一金属パーツ１０が送受信する第三周波数帯の電波に対応するグランド電流が流れる。しかしながら本実施形態においては、第二フィルタ３１が存在することで、第一金属パーツ１０の第一給電部１２との接続位置から端部１０Ｂまでが第三周波数帯の電波を送受信するとき、第一金属パーツ１０と、第三金属パーツ６０とが、電気的につながる。よって、第三周波数帯を送受信するとき、第三金属パーツ６０に第三周波数帯のグランド電流が流れることを防ぐことができるため、第三金属パーツ６０に手が触れても、第一周波数帯のグランド電流が人体に吸収されない。これにより、第一金属パーツ１０が第三周波数帯の電波を送受信する際においても、アンテナ特性が劣化することを防ぐことができる。
【００３７】
第三金属パーツ６０において、第三給電部９０から一方の端部６０Ａまでは、第一〜第三周波数帯とは異なる第四周波数帯で共振する。すなわち、第三給電部９０は、第四周波数帯の電波を入出力し、第一金属パーツ１０にアンテナ給電する。これにより、第一金属パーツ１０を用いて第一周波数帯の電波を送受信可能となる。
【００３８】
〔実施形態４〕
次に、本願の実施形態４について、図４を用いて説明する。図４の（ａ）は、アンテナ装置２ｃの構成を示す図であり、図４の（ｂ）は、無線回路が形成された無線回路基板５０の構成を示す図である。
【００３９】
本実施形態においては、第一金属パーツ１０において、第二端部１０Ｂ、第一接続位置１０Ｃ、および、第一接続位置１０Ｃと第一端部１０Ａとの間の位置１０Ｄにおいて、引込部が設けられている。また、第二金属パーツ２０において、第三端部２０Ａ、および、第二接続位置２０Ｃにおいて、引込部が設けられている。無線回路基板５０には、無線回路部５１、短絡部１３、第一フィルタ部３０、接続部５０Ａ〜５０Ｄ、５０Ｆ、および、接続部５０Ｃと接続部５０Ｄとを第一フィルタ部３０を介して接続する導電経路５０Ｅが設けられている。短絡部１３は、キャパシタ、インダクタ等を介してグランド４０に接続されている。
【００４０】
各引込部および接続部５０Ａ〜５０Ｄ、５０Ｆの中央部には穴が開いており、穴の内部にはネジが切られている。各金属パーツ上に無線回路基板５０を重ね合わせて、各引込部の穴を、それぞれ接続部５０Ａ〜〜５０Ｄ、５０Ｆの穴と重ね合わせてねじにより共締めすることで、引込部と接続部との間を電気的に接続する。
【００４１】
すなわち、無線回路基板５０の接続部５０Ａ（第一給電部１２）が、第一金属パーツ１０の第一接続位置１０Ｃにネジ止めされることにより、第一給電部１２と第一接続位置１０Ｃとが接続される。また、無線回路基板５０の接続部５０Ｂ（第二給電部２２）が、第二金属パーツ２０の第二接続位置２０Ｃにネジ止めされることにより、第二給電部２２と第二接続位置２０Ｃとが接続される。また、無線回路基板５０の接続部５０Ｆが、第一金属パーツ１０の位置１０Ｄにネジ止めされることにより、第一金属パーツ１０が、位置１０Ｄにおいて、短絡部１３を介してグランド４０に接続される。また、無線回路基板５０の接続部５０Ｃが、第一金属パーツ１０の第二端部１０Ｂにネジ止めされ、無線回路基板５０の接続部５０Ｄが、第二金属パーツ２０の第三端部２０Ａにネジ止めされることにより、第一金属パーツ１０と第二金属パーツ２０とが、第一フィルタ部３０を介して接続される。
【００４２】
接続部５０Ａ〜５０Ｄ、５０Ｆは無線回路基板５上に導通部材で設けられたパターンであり、表面が導通するよう、レジストで覆われていない開口部となっている。金属パーツと回路基板５とを重ねてネジ止めすることで、引込部と開口部とが密着して導通する。
【００４３】
引込部８４と接続部９４とが共締めされて導通することで、第一金属パーツ１０ｃが給電基板から給電され、アンテナエレメントとして機能する。接続部５０Ａは、実施形態１における第一金属パーツ１０ｃの第一給電部１２への接続位置に対応する。第一金属パーツ１０ｃの引込部８４から端部１０Ａまでは第一周波数で共振し、第一金属パーツ１０ｃの引込部８４から端部１０Ｂまでは第三周波数で共振する。本実施形態においては、第二金属パーツ２０ｃは、グランド４０と溶接されることで、電気的につながっている。
【００４４】
〔実施形態５〕
次に、本願の実施形態５について、図５を用いて説明する。実施形態５では、実施形態１とは異なり、第二給電部２２が存在せず、第二金属パーツ２０が給電部から給電されていない。このため、本実施形態においては、第二金属パーツ２０はアンテナエレメントとしては機能しない。本発明の一態様には、当該構成も含まれる。
【００４５】
（まとめ）
本発明の態様１に係るアンテナ装置（１、２、２ａ、２ｂ、２ｃ）は、第一給電部（１２）と、グランド（４０）と、第一金属パーツ（１０）および第二金属パーツ（２０）を含む複数の金属パーツによって構成され、外部に露出した金属枠（４）と、を備え、上記第一金属パーツは、第一接続位置（１０Ｃ）において、上記第一給電部に接続し、第一端部（１０Ａ）および第二端部（１０Ｂ）を備え、上記第一接続位置から上記第一端部までが第一周波数帯で共振し、上記第一接続位置から上記第二端部までの範囲において、第一フィルタ（３０）を介して上記第二金属パーツに接続され、上記第二金属パーツは、上記グランドに接続され、上記第一フィルタは、上記第一周波数帯を通過させる。
【００４６】
上記の構成によれば、第一周波数帯の信号から見て、第一金属パーツと第二金属パーツは、一体として逆Ｆアンテナのように動作する。このため、第一金属パーツが第一周波数帯の電波を送受信しているときに、短絡点側の第二金属パーツに第一周波数帯のグランド電流が流れない。よって、第一金属パーツが第一周波数帯の電波を送受信しているときに、第二金属パーツを触っても、第一周波数帯のグランド電流が人体に吸収されることがない。このため、第一金属パーツのアンテナ特性が劣化することを抑制することができる。
【００４７】
本発明の態様２に係るアンテナ装置（１、２、２ａ、２ｂ、２ｃ）は、上記態様１において、上記金属枠（４）は、上記アンテナ装置（１、２、２ａ、２ｂ、２ｃ）の筐体（３）の一部を構成してもよい。
【００４８】
上記の構成によれば、金属枠によって筐体の一部を構成し、筐体の強度を向上することができる。
【００４９】
本発明の態様３に係るアンテナ装置（１、２、２ａ、２ｂ、２ｃ）は、上記態様１または２において、第二給電部（２２）をさらに備え、上記第二金属パーツ（２０）は、上記第二給電部（２２）に接続し、第二周波数帯で共振し、上記第一フィルタ（３０）は、上記第二周波数帯を通過させなくてもよい。
【００５０】
上記の構成によれば、アンテナ装置は、第一周波数帯に加えて、第二周波数帯の電波を送受信することができる。
【００５１】
本発明の態様４に係るアンテナ装置（１、２、２ａ、２ｂ、２ｃ）は、上記態様１から３のいずれかにおいて、上記グランド（４０）の縁部を通る経路であって、上記第一給電部（１２）に対応する位置（４０ａ）から上記第二金属パーツ（２０）への接続位置（４０ｂ）までの経路の電気長が、上記第一周波数帯に対応する波長λの１／４以下であるものであってもよい。
【００５２】
上記の構成によれば、フィルタがない場合、第二金属パーツに、第一金属パーツが送受信する第一周波数帯の電波に対するグランド電流が特に強く流れる。しかしながら、本実施形態では、フィルタを備えることで、第一金属パーツが送受信する第一周波数帯の電波に対するグランド電流が第二金属パーツに流れることを防ぎ、アンテナ特性の劣化を防いでいる。
【００５３】
本発明の態様５に係るアンテナ装置（１、２、２ａ、２ｂ、２ｃ）は、上記態様１から４のいずれかにおいて、上記第一金属パーツ（１０）および上記第二金属パーツ（２０）は、それぞれ、上記金属枠（４）の互いに隣接した辺に配置されていてもよい。
【００５４】
上記の構成によれば、フィルタがない場合、第二金属パーツに、第一金属パーツが送受信する第一周波数帯の電波に対するグランド電流が特に強く流れる。しかしながら、本実施形態では、フィルタを備えることで、第一金属パーツが送受信する第一周波数帯の電波に対するグランド電流が第二金属パーツに流れることを防ぎ、アンテナ特性の劣化を防いでいる。
【００５５】
本発明の態様６に係るアンテナ装置（１、２、２ａ、２ｂ、２ｃ）は、上記態様１から５のいずれかにおいて、上記第一金属パーツ（１０）は、上記第一接続位置（４０ａ）から上記第二端部（１０Ｂ）までが第三周波数帯で共振し、上記第一フィルタ（３０）は、上記第三周波数帯を通過させなくてもよい。
【００５６】
上記の構成によれば、アンテナ装置は、第一周波数帯に加えて、第三周波数帯の電波を送受信することができる。
【００５７】
本発明の態様７に係るアンテナ装置（１、２、２ａ、２ｂ、２ｃ）は、上記態様１から６のいずれかにおいて、第三給電部（９０）をさらに備え、上記複数の金属パーツは、第三金属パーツ（６０）をさらに含み、上記第三金属パーツ（６０）は、第三接続位置（６０Ｃ）において、上記第三給電部（９０）に接続し、第五端部（６０Ａ）および第六端部（６０Ｂ）を備え、上記第三接続位置（６０Ｃ）から上記第五端部（６０Ａ）までが第四周波数帯で共振し、上記第三接続位置（６０Ｃ）から上記第六端部（６０Ｂ）までの範囲において、上記グランド（４０）に接続され、上記第一金属パーツ（１０）は、上記第一接続位置（２０Ｃ）から上記第一端部（２０Ａ）までの範囲において、第二フィルタ（３１）を介して上記第三金属パーツ（６０）に接続され、上記第二フィルタ（２２）は、上記第三周波数帯を通過させ、上記第一周波数帯および上記第四周波数帯を透過させなくてもよい。
【００５８】
上記の構成によれば、第三金属パーツを触ったときに第一金属パーツのアンテナ特性が劣化することを抑制することができる。
【００５９】
本発明の態様８に係るアンテナ装置（１、２、２ａ、２ｂ、２ｃ）は、上記態様１から７のいずれかにおいて、回路基板（５０）をさらに備え、上記回路基板（５０）には、上記第一給電部（１２）と、上記第一フィルタ（３０）と、上記回路基板（５０）上の第一位置（５０Ｃ）と第二位置（５０Ｄ）とを上記第一フィルタ（３０）を介して接続する導電経路（５０Ｅ）と、が設けられており、上記回路基板（５０）の上記第一給電部（１２）が、上記第一金属パーツ（１０）の上記第一接続位置（１０Ｃ）にネジ止めされることにより、上記第一給電部（１２）と上記第一接続位置（１０Ｃ）とが接続され、上記回路基板（５０）の上記第一位置（５０Ｃ）が、上記第一金属パーツ（１０）の上記第一接続位置（１０Ｃ）から上記第二端部（１０Ｂ）までの範囲にネジ止めされることにより、上記第一位置（５０Ｃ）と当該範囲とが接続され、上記回路基板（５０）の上記第二位置（）が、上記第二金属パーツ（２０）にネジ止めされることにより、上記第二位置（５０Ｄ）と上記第二金属パーツ（２０）とが接続されていてもよい。
【００６０】
上記の構成によれば、金属パーツ同士の接続を好適に実現することができる。
【００６１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００６２】
１、２、２ａ、２ｂ、２ｃ  アンテナ装置
３  筐体
４  金属枠
１０  第一金属パーツ
１０Ａ  第一端部
１０Ｂ  第二端部
１０Ｃ  第一接続位置
１２  第一給電部
２０  第二金属パーツ
２０Ａ  第三端部
２０Ｂ  第四端部
２０Ｃ  第二接続位置
２２  第二給電部
２３  第二金属パーツとグランドとの接続位置
３０  第一フィルタ
３１  第二フィルタ
４０  グランド
４０ａ  第一の給電部に対応する位置
４０ｂ  第二金属パーツへの接続位置
５０  回路基板
５０Ｃ  第一位置
５０Ｄ  第二位置
５０Ｅ  導電経路
６０  第三金属パーツ
６０Ａ  第五端部
６０Ｂ  第六端部
６０Ｃ  第三接続位置
９０  第三給電部
【図１】
2019016838.tif 000003
【図２】
2019016838.tif 000004
【図３】
2019016838.tif 000005
【図４】
2019016838.tif 000006
【図５】
2019016838.tif 000007
【図６】
2019016838.tif 000008
【図７】
2019016838.tif 000009